(57)【要約】      （修正有）【課題】鞄の肩ベルト部、持ち手部分を装飾することができる装飾体を提供する。【解決手段】装飾体３０は、帯状の本体４０と、本体４０に配設される装飾部５０と、を備える。本体４０には、係止部と、係止部と係止可能な被係止部と、が配設されている。本体４０は、係止部と被係止部とが係止され、環状とされた状態で、内側に、鞄としてのランドセル１０の、肩ベルト部１３を挿通させて、取り付けられる。【選択図】図４
0003234693.tif 000002
【実用新案登録請求の範囲】
【請求項１】
帯状の本体と、前記本体に配設される装飾部と、を備え、
前記本体には、係止部と、前記係止部と係止可能な被係止部と、が配設され、
前記本体が、前記係止部と前記被係止部とが係止され、環状とされた状態で、内側に、前記鞄の、肩ベルト部、又は、持ち手部を挿通させて、取り付けられることを特徴とする装飾体。
【請求項２】
前記鞄に取り付けられた状態において、
前記鞄の、前記肩ベルト部、又は、前記持ち手部を挟んで、前記係止部と前記被係止部とが係止される部位とは反対側に、前記装飾部が配置可能とされていることを特徴とする請求項１記載の装飾体。
【考案の詳細な説明】
【技術分野】
【０００１】
本考案は、鞄を装飾可能な装飾体に関するものである。
【背景技術】
【０００２】
従来の鞄では、収納物を収納する収納部と、収納部に配設される肩ベルト部、又は、持ち手部と、を有する構成とされていた。そして、収納物を収納する収納部に、刺繍、印刷等が施され、見映えを良くすることが行われていた。
【考案の概要】
【考案が解決しようとする課題】
【０００３】
しかし、上記の鞄では、肩ベルト部、持ち手部には、収納部ほどの装飾が施されない傾向にあった。
【０００４】
本考案は、上記事情に鑑み、鞄の、肩ベルト部、持ち手部を装飾することができる装飾体を提供することを目的とする。
【課題を解決するための手段】
【０００５】
請求項１記載の考案では、帯状の本体と、前記本体に配設される装飾部と、を備え、
前記本体には、係止部と、前記係止部と係止可能な被係止部と、が配設され、
前記本体が、前記係止部と前記被係止部とが係止され、環状とされた状態で、内側に、前記鞄の、肩ベルト部、又は、持ち手部を挿通させて、取り付けられる。
【０００６】
これによれば、鞄の、肩ベルト部、持ち手部を、装飾部で装飾することができる。
【０００７】
また、前記鞄に取り付けられた状態において、
前記鞄の、前記肩ベルト部、又は、前記持ち手部を挟んで、前記係止部と前記被係止部とが係止される部位とは反対側に、前記装飾部が配置可能とされている。
【０００８】
これによれば、肩ベルト部と体の間、持ち手部と体の間、又は、持ち手部どうしが対向する側に、係止部と、被係止部とが係止される部位を配置することで、換言すれば、外部から目につきやすい位置に装飾部を配することで、装飾部を視認しやすくして、装飾性を向上可能となる。
【図面の簡単な説明】
【０００９】
【図１】本考案の一実施形態としての装飾体の正面図である。
【図２】同実施形態の背面図である。
【図３】同実施形態の底面図である。
【図４】装飾体をランドセルに取り付けた状態の斜視図である。
【図５】装飾体をランドセルに取り付けた状態の部分拡大側面図である。
【図６】装飾体を一対の持ち手部を有する鞄に取り付けた状態の斜視図である。
【考案を実施するための形態】
【００１０】
本考案の装飾体の一実施形態について図面に基づいて説明する。以下の説明において、図面に矢印が付される場合には、Ｆを前、Ｂを後ろ、Ｒを右、Ｌを左、Ｕを上、Ｄを下、とする。
【００１１】
本考案は、概略的には、図４、５に示す、収納部１１と、蓋板部１２と、肩ベルト部１３と、を備える、鞄としてのランドセル１０の肩ベルト部１３に取り付けられて、ランドセル１０を装飾するものである。
【００１２】
装飾体３０は、図１〜３等に示すように、帯状の本体４０と、本体４０に配設される装飾部５０と、を備えている。
【００１３】
本体４０は、合成皮革製で、矩形状の合成皮革を折り重ねて縫合されて、長手方向に長い長尺状に形成されている。
【００１４】
本体４０には、係止部４１と、係止部４１と係止可能な被係止部４２と、が配設されている。
【００１５】
本実施形態では、係止部４１、被係止部４２は、それぞれ面ファスナで構成されている。係止部４１は、本体４０の左側の端部、かつ、本体４０の前面に取り付けられている。被係止部４２は、本体４０の右側の端部、かつ、本体４０の後面に取り付けられている。
【００１６】
装飾部５０は、人工皮革や合成皮革とビーズとを用いて、花びらを模した形状に形成されている。本実施形態では、装飾部５０は、本体４０とは別部材として形成されたものを、本体４０の左右方向における中央部、かつ、本体４０の前面に取り付けられている。
【００１７】
装飾体３０の使用態様を説明する。装飾体３０を手に持った使用者が、ランドセル１０の任意の肩ベルト部１３の前面側に、装飾部５０が前側となるように配置する。そして、本体４０を、肩ベルト部１３の外側に巻き付ける。さらに、係止部４１と被係止部４２とを重ね合わせて、係止部４１と被係止部４２を係止する。上記作業により、装飾体３０は、ランドセル１０の肩ベルト部１３に取り付けられる。
【００１８】
使用者が、ランドセル１０を背負ったときに、肩ベルト部１３と体の間に、係止部４１と、被係止部４２とが係止される部位を配置することで、換言すれば、外部から目につきやすい位置に装飾部５０を配することで、装飾部５０を視認しやすくして、装飾性を向上可能となる。
【００１９】
本考案の装飾体では、帯状の本体４０と、本体４０に配設される装飾部５０と、を備え、
本体４０には、係止部４１と、係止部４１と係止可能な被係止部４２と、が配設され、
本体４０が、係止部４１と被係止部４２とが係止され、環状とされた状態で、内側に、鞄としてのランドセル１０の、肩ベルト部１３を挿通させて、取り付けられる。
【００２０】
これによれば、鞄としてのランドセル１０の、肩ベルト部１３を、装飾部５０で装飾することができる。
【００２１】
また、ランドセル１０に取り付けられた状態において、
ランドセル１０の、肩ベルト部１３を挟んで、係止部４１と被係止部４２とが係止される部位とは反対側に、装飾部５０が配置可能とされている。
【００２２】
これによれば、肩ベルト部１３と体の間に、係止部４１と、被係止部４２とが係止される部位を配置することで、換言すれば、外部から目につきやすい位置に装飾部５０を配することで、装飾部５０を視認しやすくして、装飾性を向上可能となる。
【００２３】
本考案の装飾体は上記構成に限定されるものではない。即ち、本考案の要旨を逸脱しない限り各種の設計変更等が可能である。以下に、変形した態様を例示する。
【００２４】
例えば、図６に示すような、収納部１１１と、収納部１１１に配設される一対の持ち手部１１２を有する、トートバッグ１００のような、鞄に適用することができる。この場合、持ち手部１１２どうしが対向する側に、係止部４１と、被係止部４２とが係止される部位を配することで、換言すれば、トートバッグ１００の外側に装飾部５０を配することで、装飾部５０を視認しやすくして、装飾性を向上可能となる。
【００２５】
また、上記以外の、肩ベルト部、持ち手部を有する鞄に適用することができる。この場合、鞄に取り付けられた状態において、持ち手部と体の間に、係止部４１と、被係止部４２とが係止される部位を配することで、換言すれば、鞄の外側に装飾部５０を配することで、装飾部５０を視認しやすくして、装飾性を向上可能となる。
【００２６】
また、上記実施形態では、装飾部５０は、本体４０に別体の部材を取り付けて構成されていたが、別体の部材とせずに、本体４０に刺繍、印刷を施す等して構成することもできる。
【００２７】
また、装飾部５０は、花びら以外の形状にすることもできる。
【００２８】
また、係止部４１、被係止部４２は、面ファスナで構成したが、ボタンとボタンホール、鉤ホック等、互いに係止可能な他の部材を用いることができる。
【符号の説明】
【００２９】
１０  ランドセル
１３  肩ベルト部
３０  装飾体
４０  本体
４１  係止部
４２  被係止部
５０  装飾部
１００  トートバッグ
１１２  持ち手部
【図１】
0003234693.tif 000003
【図２】
0003234693.tif 000004
【図３】
0003234693.tif 000005
【図４】
0003234693.tif 000006
【図５】
0003234693.tif 000007
【図６】
0003234693.tif 000008